(57)【要約】【課題】容易な着脱作業を実現することができる固定具を提供する。【解決手段】被固定部材１と固定部材２とにそれぞれ設けられた固定孔３に挿入される脚部２１に、固定孔３の周縁部４に係止される係止部２２が形成されたグロメット２０と、脚部２１に沿って上下に移動するピン部材３０と、回動可能にグロメット２０に軸支された操作部材４０とから固定具１０が構成され、脚部２１の外側に配置されて係止部２２が張り出す開口部３５がピン部材３０に形成され、操作部材４０が起立した状態で、ピン部材３０が上方に移動すると共に開口部３５の縁部３６が係止部２２に当接して係止部２２が開口部３５の内側に入り、固定孔３からの脚部２１の抜け出しが可能となる。【選択図】図５
2018100691.tif 000002
【特許請求の範囲】
【請求項１】
被固定部材と固定部材とにそれぞれ設けられた固定孔に挿入される脚部に、前記固定孔の周縁部に係止される係止部が形成されたグロメットと、
前記脚部に沿って移動するピン部材と、
回動可能に前記グロメットに軸支された操作部材とが備えられ、
前記操作部材が傾倒することで前記固定部材を前記被固定部材に固定させる固定具であって、
前記ピン部材は、前記脚部の外側に配置されて前記係止部が張り出す開口部が形成され、
前記操作部材が起立した状態で、前記ピン部材が抜去方向に移動すると共に前記開口部の縁部が前記係止部に当接して前記係止部が前記開口部の内側に入り、前記固定孔からの前記脚部の抜け出しが可能となる、
ことを特徴とする固定具。
【請求項２】
傾倒した前記操作部材と当接するリブが前記ピン部材に備えられ、
前記操作部材が傾倒した状態で、前記操作部材が前記リブに当接して前記ピン部材が移動できなくなることで、前記固定孔からの前記脚部の抜け出しが阻止される、
ことを特徴とする請求項１に記載された固定具。
【請求項３】
前記係止部の間に配置されて前記係止部の変位を規制する楔部が、前記ピン部材に備えられた、
ことを特徴とする請求項１または請求項２に記載された固定具。
【請求項４】
前記グロメットに軸支された軸支部が、前記操作部材に備えられ、
前記操作部材が傾倒することで前記固定部材に当接するカム部が、前記軸支部に備えられた、
ことを特徴とする請求項１から請求項３のいずれか１項に記載された固定具。
【請求項５】
前記カム部が、前記操作部材が傾倒するいずれの側にも備えられた、
ことを特徴とする請求項４に記載された固定具。
【発明の詳細な説明】
【技術分野】
【０００１】
本発明は、固定部材が被固定部材に固定される際に用いられる固定具に関するものである。
【背景技術】
【０００２】
従来、例えば自動車において、固定部材としてのリアランプなどが被固定部材としてのボディパネルに固定される際に用いられる部材として、下記特許文献１に記載された固定具がある。
【０００３】
この固定具は、リアランプおよびボディパネルのそれぞれに開口された孔に挿入される脚部が備えられたグロメットと、このグロメットに挿入されて脚部に沿って移動するピン部材と、このピン部材を移動させる押圧片が備えられて回動可能にグロメットに軸支された操作部材とから構成されている。この固定具は、リアランプおよびボディパネルのそれぞれの孔にグロメットの脚部が挿入された状態で、グロメットに対して操作部材が回動すると、ピン部材が押圧片に押されることによって脚部に沿って移動し、脚部の間にピン部材が配置される。脚部はボディパネルの内側でピン部材によって孔の口径よりも拡げられ、このことによって、固定具を介してリアランプがボディパネルに固定される。固定具を外す場合、操作部材を起こして元の位置に戻した後、ピン部材を脚部の間から引き上げ、脚部を孔から抜去する。
【先行技術文献】
【特許文献】
【０００４】
【特許文献１】特許第５６８６３１７号公報
【発明の概要】
【発明が解決しようとする課題】
【０００５】
しかし、特許文献１に記載された固定具は、外す際、上記したとおり、操作部材を起こして元の位置に戻す動作、脚部の間からピン部材を引き上げることで脚部を元の状態に戻す動作、孔の縁に当接させることで脚部を内向きに撓ませながら孔から抜去する動作を要するため、三つの動作を経る必要がある。また、使用状態において常時脚部が拡げられているため、時間の経過によって歪みが生じ、いわゆるクリープ変形が起きる場合がある。
【０００６】
本発明は、この様な実情に鑑みて提案されたものである。すなわち、容易な着脱作業を実現することができる固定具の提供を目的とする。
【課題を解決するための手段】
【０００７】
上記目的を達成するために、本発明に係る固定具は、被固定部材と固定部材とにそれぞれ設けられた固定孔に挿入される脚部に、前記固定孔の周縁部に係止される係止部が形成されたグロメットと、前記脚部に沿って移動するピン部材と、回動可能に前記グロメットに軸支された操作部材とが備えられ、前記操作部材が傾倒することで前記固定部材を前記被固定部材に固定させる固定具であって、前記ピン部材は、前記脚部の外側に配置されて前記係止部が張り出す開口部が形成され、前記操作部材が起立した状態で、前記ピン部材が抜去方向に移動すると共に前記開口部の縁部が前記係止部に当接して前記係止部が前記開口部の内側に入り、前記固定孔からの前記脚部の抜け出しが可能となる、ことを特徴とする。
【０００８】
本発明に係る固定具は、傾倒した前記操作部材と当接するリブが前記ピン部材に備えられ、前記操作部材が傾倒した状態で、前記操作部材が前記リブに当接して前記ピン部材が移動できなくなることで、前記固定孔からの前記脚部の抜け出しが阻止される、ことを特徴とする。
【０００９】
本発明に係る固定具は、前記係止部の間に配置されて前記係止部の変位を規制する楔部が、前記ピン部材に備えられた、ことを特徴とする。
【００１０】
本発明に係る固定具は、前記グロメットに軸支された軸支部が、前記操作部材に備えられ、前記操作部材が傾倒することで前記固定部材に当接するカム部が、前記軸支部に備えられた、ことを特徴とする。
【００１１】
本発明に係る固定具は、前記カム部が、前記操作部材が傾倒するいずれの側にも備えられた、ことを特徴とする。
【発明の効果】
【００１２】
本発明に係る固定具は上記した構成である。すなわち、固定具を各固定部材から取り外す際、ピン部材を抜去方向に移動させると、開口部の縁部が係止部に当接することで、係止部が撓んで開口部よりも内側に押し込まれ、脚部が固定孔から抜き出される。このことにより、ピン部材を移動させる動作と、係止部を開口部よりも内側に押し込む動作とが連動するため、操作部材を起立させる動作、および、ピン部材を移動させる動作の二つの動作で固定具が各固定部材から取り外される。したがって、容易な着脱作業を実現することができる。また、係止部を確実に開口部よりも内側に押し込むことができるため、円滑な着脱作業を実現することができる。
【００１３】
また、開口部の縁部と当接して係止部に外力が加えられるのは、固定具が各固定部材から取り外される際であるため、固定具が各固定部材に取り付けられた状態において、脚部や係止部は外力が加えられず、通常の状態である。したがって、クリープ変形を防ぐことができる。
【００１４】
本発明に係る固定具は、傾倒した操作部材と当接するリブがピン部材に備えられ、操作部材が傾倒した状態で、操作部材がリブに当接してピン部材が移動できなくなることで、固定孔からの脚部の抜け出しが阻止される構成である。すなわち、ピン部材の移動が規制されるため、係止部が固定孔に係止した状態を確実に維持することができる。また、作業者がリブを撮むことができ、円滑な着脱作業を実現することができる。
【００１５】
本発明に係る固定具は、係止部の間に配置されて係止部の変位を規制する楔部が、ピン部材に備えられている。したがって、係止部が固定孔に係止した状態を確実に維持することができる。
【００１６】
本発明に係る固定具は、グロメットに軸支された軸支部が、操作部材に備えられ、操作部材が傾倒することで固定部材に当接するカム部が、軸支部に備えられている。この構成により、操作部材が傾倒すると、カム部が固定部材に当接し、グロメットと固定部材との間でカム部が突っ張った状態となる。すなわち、カム部が突っ張ることで、グロメットが固定部材から離されると共に、係止部が固定孔の周縁部に係止したままグロメットが抜去方向に引っ張られる。したがって、堅固に固定部材を被固定部材に固定することができる。
【００１７】
本発明に係る固定具は、カム部が、操作部材が傾倒するいずれの側にも備えられている。すなわち、いずれの方向に操作部材が傾倒しても堅固に固定部材を被固定部材に固定することができる。
【図面の簡単な説明】
【００１８】
【図１】本発明の実施形態に係る固定具の外観が示され、（ａ）は、操作部材が起立した状態において上方側から視した斜視図、（ｂ）は、操作部材が起立した状態において下方側から視した斜視図、（ｃ）は、操作部材が起立した状態であり、かつ、ピン部材が上方に移動した状態において上方側から視した斜視図、（ｄ）は、操作部材が傾倒した状態において上方側から視した斜視図である。
【図２】本発明の実施形態に係る固定具の外観および断面が示され、（ａ）は上方から視した平面図、（ｂ）は前方から視した正面図、（ｃ）は側方から視した側面図、（ｄ）は同図（ｂ）における側面Ａ−Ａ断面図、（ｅ）は下方から視した底面図である。
【図３】本発明の実施形態に係る固定具の分解斜視図である。
【図４】本発明の実施形態に係る固定具の動作の過程が示され、（ａ）は固定孔に脚部が挿入された直後の挿入形態断面図、（ｂ）は固定部材および被固定部材に固定具が取り付けられた取付形態断面図、（ｃ）は取付形態側面図である。
【図５】本発明の実施形態に係る固定具の動作の過程が示され、（ａ）は固定具が取り外される前の取外し前形態断面図、（ｂ）は固定孔から脚部が抜去される抜去形態断面図である。
【発明を実施するための形態】
【００１９】
以下に、本発明の実施形態に係る固定具を図面に基づいて説明する。図１は、本発明の実施形態に係る固定具１０の外観が示され、図２は、上下左右および断面から視した固定具１０が示され、図３は、固定具１０が分解されて示されている。また、図４および図５は、固定具１０の使用状態と動作の過程が示されている。
【００２０】
図３および図４に示されているとおり、固定具１０は、次の各部材から構成されている。すなわち、被固定部材１と固定部材２とにそれぞれ設けられた固定孔３に挿入される脚部２１に、固定孔３の周縁部４に係止される係止部２２が形成されたグロメット２０と、このグロメット２０の脚部２１に沿って移動するピン部材３０と、回動可能にグロメット２０に軸支された操作部材４０とから、固定具１０が構成されている。この固定具１０は、操作部材４０を傾倒させることで、固定部材２を被固定部材１に固定し、固定部材２と被固定部材１とを締結および解除するものである。なお、以下の説明では、図３および図４に示されているとおり、脚部２１を固定孔３に挿入する方向を下方とし、脚部２１を固定孔３から抜去する方向を上方とし、操作部材４０が回動して倒れる方向を前方および後方とし、回動する軸方向を右方および左方とする。
【００２１】
ここで、各部材について詳説する。
【００２２】
＜グロメット２０＞
図１から図３において、主に図３に示されているとおり、グロメット２０は、次の各部から構成されている。すなわち、ほぼ四角柱状であると共に中空の脚部２１と、この脚部２１の一部が切り欠かれて形成された係止部２２と、脚部２１の外面に形成されて操作部材４０が支持される軸部２４とから、グロメット２０が構成されている。
【００２３】
脚部２１は、互いに対面してそれぞれ左右に配置された一対の支持板部２５と、互いに対面してそれぞれ前後に配置された一対の連接板部２６とから形成され、各板部２５，２６同士が連接されている。各板部２５，２６で囲まれた空間は中空部２７である。支持板部２５は、上下に長いほぼ長方形の板状であり、上側に張出し部２８が形成されている。張出し部２８は、支持板部２５よりも左右の外側に向けて張り出している。左右それぞれの張出し部２８は、外面に軸部２４が形成されている。軸部２４は、それぞれの張出し部２８から左右の外側に向けて突出している。また、それぞれの張出し部２８は、下面に当接部２９が形成されている。すなわち、当接部２９は、支持板部２５と張出し部２８との段差である。
【００２４】
連接板部２６は、支持板部２５よりも低く形成され、支持板部２５の下側同士の間において支持板部２５同士を連接している。連接板部２６は、上端に係止部２２が連接されている。係止部２２は、一対で構成され、互いに対面してそれぞれ前後に配置されている。前後それぞれの係止部２２は、外面が前後の外側に向けて突出し、内面に傾斜面２３が形成されている（図２（ｄ）参照）。傾斜面２３は、係止部２２の上端から下方に向かうにしたがって徐々に中空部２７側に傾斜している（図２（ｄ）参照）。
【００２５】
＜ピン部材＞
ピン部材３０は、次の各部から構成されている。すなわち、ほぼ四角柱状に形成されたピン本体部３１と、このピン本体部３１の一部に形成された開口部３５と、ピン本体部３１の外面に形成されたリブ３７とから、ピン部材３０が構成されている。
【００２６】
ピン本体部３１は、互いに対面してそれぞれ前後に配置された一対の壁部３２と、この壁部３２同士を連接したピン基部３３とから形成されている。壁部３２は、上下に長いほぼ長方形の板状であり、上側同士がピン基部３３で連接されている。ピン基部３３は、ほぼ中央から下方に向けて突出した楔部３４が形成されている（図２（ｄ）参照）。
【００２７】
前後それぞれの壁部３２は、前後に向けて開口した開口部３５が形成されている。開口部３５は、グロメット２０の係止部２２が通る大きさに形成され、上下の長さが、係止部２２における上下の長さよりも長く形成されている。開口部３５は、下側の縁に縁部３６が形成されている。それぞれの壁部３２は、上端から前後の外側に向けて一対のリブ３７が突出している。前後それぞれのリブ３７は、左右にずれて互い違いに配置され、前方に向けて突出した前方リブ３７ａと、後方に向けて突出した後方リブ３７ｂとから構成されている。それぞれの壁部３２は、左右端がピン基部３３よりも左右の外側に向けて張り出してガイド部３８が形成されている。それぞれの壁部３２において、ガイド部３８同士は前後において対面し、ガイド部３８同士の間に溝部３９が形成されている。
【００２８】
＜操作部材４０＞
操作部材４０は、次の各部から構成されている。すなわち、アーチ状に形成された操作本体部４１と、この操作本体部４１の両端に連接されてグロメット２０に軸支された軸支部４２と、操作本体部４１の内側に形成されたリブ留部４５とから、操作部材４０が構成されている。なお、操作部材４０は回動して向きが変化することで、前後上下方向が一義的ではないため、図３に基づく説明では、操作部材４０が起立している状態において、前後上下とする。
【００２９】
軸支部４２は、一対で構成され、互いに対面してそれぞれ左右に配置されている。左右それぞれの軸支部４２は、中央に軸孔４３が開口され、前後の端にそれぞれカム部４４が形成されている。すなわち、カム部４４は、操作部材４０が傾倒する前後方向のいずれの側にも備えられている。軸支部４２の前方に形成された前方カム部４４ａは、前方に向けて張り出し、後方に形成された後方カム部４４ｂは、後方に向けて張り出している。各カム部４４ａ，ｂは、軸孔４３からの長さが、グロメット２０の軸部２４から当接部２９までの長さよりも長く形成されている。
【００３０】
リブ留部４５は、一対で構成され、操作本体部４１の内側から下方に向けて突出している。それぞれのリブ留部４５は、左右にずれて互い違いに配置され、前方側に配置された前方リブ留部４５ａ（図２（ｂ）参照）と、後方側に配置された後方リブ留部４５ｂとから構成されている。
【００３１】
上記した各部材２０，３０，４０は次のとおりに合体する。はじめに、グロメット２０とピン部材３０とが合体する。図３において、ピン部材３０は、ピン基部３３がグロメット２０の中空部２７に挿入される。その際、グロメット２０の張出し部２８がピン部材３０の溝部３９に配置され、グロメット２０の脚部２１の前後の外側にピン部材３０の壁部３２が配置され、グロメット２０の係止部２２が壁部３２の開口部３５から張り出す。また、中空部２７に楔部３４が配置される（図２（ｄ）参照）。次に、グロメット２０と操作部材４０とが合体する。操作部材４０は、軸支部４２の軸孔４３にグロメット２０の軸部２４が挿入される。ピン部材３０のリブ３７は、軸支部４２よりも前後の外側に向けて突出している（図２（ｃ）参照）。
【００３２】
この状態において、ピン部材３０とグロメット２０とは相対的に上下に変位する。すなわち、ピン部材３０は、ガイド部３８に案内されてグロメット２０の張出し部２８に沿って上下に自在に移動する。図４（ｂ）に示されているとおり、ピン部材３０が下側位置に配置されている場合、グロメット２０の係止部２２同士の間にピン部材３０の楔部３４が配置され、係止部２２の傾斜面２３に楔部３４が接触する。したがって、係止部２２は、仮に前後から外力が加えられたとしても、互いが対面する内側に向けて弾性変形することが、楔部３４によって規制される。
【００３３】
一方、図４（ａ）に示されているとおり、ピン部材３０が上側位置に配置されている場合、係止部２２の傾斜面２３から楔部３４が離れている。したがって、中空部２７において、係止部２２は、前後から外力が加えられると、互いが対面する内側に向けて弾性変形する。
【００３４】
さらに、図５（ｂ）に示されているとおり、ピン部材３０が上側位置を超えてグロメット２０に対して上方に移動した場合、係止部２２同士の間から楔部３４が上方に離れ、同時に開口部３５の縁部３６が係止部２２に当たり、ピン部材３０の上昇によって生じた上向きの外力が縁部３６から係止部２２に加わって、係止部２２は、互いが対面する内側に向けて弾性変形する。このことによって、係止部２２は、開口部３５の内側に押し込まれる。
【００３５】
一方、図４に示されているとおり、操作部材４０は、グロメット２０の軸部２４を軸として回動するため、前方または後方に傾倒し、また、起立することで元の状態に戻る。固定具１０の形状は、操作部材４０が回動する軸に対し、リブ３７およびリブ留部４５を除けば前後方向においてほぼ対称であるため、相反するいずれの向きにも操作部材４０が傾倒する。操作部材４０が傾倒している場合、操作部材４０のリブ留部４５がピン部材３０のリブ３７に当たり、ピン部材３０の移動が規制される。すなわち、リブ留部４５によってリブ３７が上から押さえ付けられることで、ピン部材３０はグロメット２０に対して下側に配置されて停止し、上昇することが規制される。詳説すれば、操作部材４０が前方に傾倒した場合、後方リブ留部４５ｂが前方リブ３７ａに接触し、操作部材４０が後方に傾倒した場合、前方リブ留部４５ａが後方リブ３７ｂに接触する。
【００３６】
上記のとおり、本実施形態に係る固定具１０が構成されている。
【００３７】
次に、本実施形態に係る固定具１０の作用を図面に基づいて説明する。
【００３８】
図４および図５に示されているとおり、被固定部材１に固定部材２が重ねられ、それぞれに形成された固定孔３が揃えられている。固定孔３は、周縁部４が形成されている。
【００３９】
図４（ａ）において、固定具１０は、操作部材４０が起立し、ピン部材３０が上側位置に配置された状態であり、グロメット２０の中空部２７において、ピン部材３０の楔部３４が、グロメット２０における係止部２２の傾斜面２３から離れている。この状態で、グロメット２０の当接部２９が固定部材２の上面に当たるまで、グロメット２０の脚部２１が固定孔３に挿入される。係止部２２が固定孔３の周縁部４に当ることで、係止部２２は互いに対面する内側に向けて弾性変形してピン部材２０の開口部３５の内側に押し込まれ、グロメット２０の脚部２１が固定孔３に挿入される。また、当接部２９が固定部材２の上面に当り、同時に、係止部２２が固定孔３を通過すると共に開口部３５から外側に張り出し、周縁部４の下側に係止する。
【００４０】
この状態において、図４（ｂ）（ｃ）に示されているとおり、操作部材４０を操作して前方に傾倒させると、操作部材４０はグロメット２０の軸部２４を軸として回動し（図４において右回り）、操作本体部４１が固定部材２の上面と対面するまで傾倒すると、操作部材４０の後方リブ留部４５ｂがピン部材３０の前方リブ３７ａに接触する。このことによって、ピン部材３０が操作部材４０によって上から押さえつけられると、ピン部材３０がグロメット２０に対して下方に移動する。同時に、ピン部材３０の楔部３４が係止部２２同士の間に配置されて係止部２２の傾斜面２３に接触し、係止部２２が互いに対面する内側に向けて弾性変形することが楔部３４によって規制される。
【００４１】
さらに、図４（ｃ）に示されているとおり、前方カム部４４ａが、固定部材２と対面したグロメット２０の当接部２９よりも突出して固定部材２に押し付けられ、グロメット２０と固定部材２との間で前方カム部４４ａが突っ張った状態となる。すなわち、前方カム部４４ａが当接部２９よりも突出した分だけ、グロメット２０が固定部材２から上方に向けて離されると共に、係止部２２が固定孔３の周縁部４に係止したままグロメット２０が上方に引っ張られた状態となる。
【００４２】
このようにして、グロメット２０に対して下方に移動したピン部材３０の楔部３４が、グロメット２０の係止部２２同士の間に配置されて係止部２２の傾斜面２３に接触することによって、弾性変形による係止部２２の変位が規制される。同時に、操作部材４０のリブ留部４５がピン部材３０のリブ３７に接触して押さえ付けられ、ピン部材３０がグロメット２０に対して上方に移動することが規制される。したがって、固定孔３からの脚部２１の抜け出しが阻止され、固定部材２が被固定部材１に固定される。
【００４３】
固定具１０を外す場合は、上記と逆の操作をする。すなわち、図４（ｂ）、図５（ａ）に示されているとおり、操作部材４０を操作して起立させると、操作部材４０はグロメット２０の軸部２４を軸として回動し（図４において左回り）、操作部材４０の後方リブ留部４５ｂがピン部材３０の前方リブ３７ａから離れる。このことによって、ピン部材３０が操作部材４０から解放されるため、ピン部材３０がグロメット２０に対して上方に移動することが可能となる。ここで、ピン部材３０を上方位置に配置させると、ピン部材３０の楔部３４が、グロメット２０の係止部２２同士の間において、係止部２２の傾斜面２３から離れる。
【００４４】
図５（ｂ）に示されているとおり、上方位置を超えてピン部材３０をさらに上昇させると、ピン部材２０における開口部３５の縁部３６が係止部２２に当たり、ピン部材３０の上昇によって生じた上向きの外力が縁部３６から係止部２２に加わって、係止部２２は、互いが対面する内側に向けて弾性変形して開口部３５の内側に押し込まれる。このことによって、固定孔３から脚部２１の抜け出しが可能となり、固定具１０が取り外される。
【００４５】
なお、操作部材４０を傾倒させる向きは、前方または後方のいずれであってもよい。
【００４６】
次に、本実施形態の効果を説明する。
【００４７】
上記したとおり、本実施形態によれば、グロメット２０の脚部２１は、互いに対面してそれぞれ前後に配置された一対の連接板部２６が形成され、この連接板部２６は、上端に一対の係止部２２が連接されている。一方、ピン部材３０のピン本体部３１は、互いに対面してそれぞれ前後に配置された一対の壁部３２が形成され、この壁部３２は、前後に向けて開口した開口部３５が形成されている。この開口部３５は、下端に縁部３６が形成されている。各部材２０，３０は、脚部２１の前後の外側に壁部３２が配置され、係止部２２が開口部３５から張り出している。
【００４８】
この構成により、固定具１０を各固定部材１，２から取り外す際、ピン部材３０をグロメット２０に対して上方に移動させると、開口部３５の縁部３６が係止部２２に当たることで、上向きの外力が縁部３６から係止部２２に加わって、係止部２２は、互いが対面する内側に向けて弾性変形して開口部３５の内側に押し込まれる。このことによって、脚部２１が固定孔３から抜き出される。すなわち、ピン部材３０を上昇させる動作と、係止部２２を開口部３５よりも内側に押し込む動作とが連動するため、操作部材４０を起立させる動作、および、ピン部材３０を上昇させる動作の二つの動作で固定具１０が各固定部材１，２から取り外される。したがって、容易な着脱作業を実現することができる。
【００４９】
また、開口部３５の縁部３６と当たって係止部２２に外力が加えられるのは、固定具１０が各固定部材１，２から取り外される際である。そのため、固定具１０が各固定部材１，２に取り付けられた状態において、脚部２１や係止部２２は外力が加えられず、通常の状態である。したがって、クリープ変形を防ぐことができる。
【００５０】
本実施形態によれば、ピン部材３０は、壁部３２の上端から前後の外側に向けて一対のリブ３７が突出している。前後それぞれのリブ３７は、左右にずれて互い違いに配置され、前方に向けて突出した前方リブ３７ａと、後方に向けて突出した後方リブ３７ｂとから構成されている。一方、操作部材４０は、操作本体部４１の内側から下方に向けて一対のリブ留部４５が突出している。それぞれのリブ留部４５は、左右にずれて互い違いに配置され、前方側に配置された前方リブ留部４５ａと、後方側に配置された後方リブ留部４５ｂとから構成されている。
【００５１】
この構成により、操作部材４０が、グロメット２０の軸部２４を軸として回動して前方または後方に傾倒した場合、リブ留部４５によってリブ３７が上から押さえ付けられることで、ピン部材３０はグロメット２０に対して下側に配置されて停止し、上昇することが規制される。したがって、係止部２２が固定孔３に係止した状態を確実に維持することができる。
【００５２】
また、リブ３７は、軸支部４２よりも前後の外側に向けて突出しているため、作業者がリブ３７を撮みやすく、円滑な着脱作業を実現することができる。
【００５３】
本実施形態によれば、ピン部材３０のピン基部３３は、ほぼ中央から下方に向けて突出した楔部３４が形成されている。この楔部３４は、グロメット２０の中空部２７に配置される。この構成により、ピン部材３０が下側位置に配置されている場合、グロメット２０の係止部２２同士の間に楔部３４が配置され、係止部２２の傾斜面２３に楔部３４が接触する。このことにより、係止部２２は、仮に前後から外力が加えられたとしても、互いが対面する内側に向けて弾性変形することが、楔部３４によって規制される。したがって、係止部２２が固定孔３に係止した状態を確実に維持することができる。
【００５４】
本実施形態によれば、操作部材４０の軸支部４２は、前後の端にそれぞれカム部４４が形成され、軸支部４２の前方に形成された前方カム部４４ａが前方に向けて張り出し、後方に形成された後方カム部４４ｂが後方に向けて張り出している。また、各カム部４４ａ，ｂは、軸孔４３からの長さが、グロメット２０の軸部２４から当接部２９までの長さよりも長く形成されている。
【００５５】
この構成により、操作部材４０を操作して前方または後方に傾倒させると、カム部４４が、固定部材２と対面したグロメット２０の当接部２９よりも突出して固定部材２に押し付けられ、グロメット２０と固定部材２との間でカム部４４が突っ張った状態となる。すなわち、カム部４４が当接部２９よりも突出した分だけ、グロメット２０が固定部材２から上方に向けて離されると共に、係止部２２が固定孔３の周縁部４に係止したままグロメット２０が上方に引っ張られた状態となる。したがって、堅固に固定部材２を被固定部材１に固定することができる。
【００５６】
また、カム部４４は、操作部材４０が傾倒する前後方向のいずれの側にも備えられているため、いずれの方向に操作部材４０が傾倒しても堅固に固定部材２を被固定部材１に固定することができる。
【００５７】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、自動車などのインナーパネルにおいて、ＨＶＡＣユニット（冷暖房空調設備）などがリンフォースメントに固定される際、スタッドボルトの代替品として用いることができる。
【符号の説明】
【００５８】
１                被固定部材
２                固定部材
３                固定孔
４                周縁部
１０              固定具
２０              グロメット
２１              脚部
２２              係止部
２３              傾斜面
２４              軸部
２５              支持板部
２６              連接板部
２７              中空部
２８              張出し部
２９              当接部
３０              ピン部材
３１              ピン本体部
３２              壁部
３３              ピン基部
３４              楔部
３５              開口部
３６              縁部
３７              リブ
３７ａ            前方リブ
３７ｂ            後方リブ
３８              ガイド部
３９              溝部
４０              操作部材
４１              操作本体部
４２              軸支部
４３              軸孔
４４              カム部
４４ａ            前方カム部
４４ｂ            後方カム部
４５              リブ留部
４５ａ            前方リブ留部
４５ｂ            後方リブ留部
【図１】
2018100691.tif 000003
【図２】
2018100691.tif 000004
【図３】
2018100691.tif 000005
【図４】
2018100691.tif 000006
【図５】
2018100691.tif 000007